(57)【特許請求の範囲】
【請求項１】
甲被の履口部からつま先部側を左右に分離した分離甲被片を分離または連結する、概略ηの字状バンドと、該バンド及び前記分離甲被片の一部に取り付けた面ファスナーとを備えた靴であって、
前記概略ηの字状バンドは、第１ベルト部と、該第１ベルト部より長尺の第２ベルト部と、これら第１，第２ベルト部それぞれの一端においてこれら第１，第２ベルト部を一体的につなぐ接続ベルト部とからなり、
前記第１ベルト部は、前記接続ベルト部とは反対側端において、前記分離甲被片の一方に固定され、
前記第２ベルト部は、前記第１ベルト部の固定端より履口部側の分離甲被片に固定して設けられた該第２ベルト部用リングに、該第２ベルト部の先端を通して折り返されるように構成され、
前記面ファスナーは、少なくとも、前記接続ベルト部の一方の面と該面が当接する分離甲被片の表面、及び、上記折り返しにより第２ベルト部同士が接触する面の両端に、面ファスナーの接触により接合するように設けられてなることを特徴とする靴。
【発明の詳細な説明】
【技術分野】
【０００１】
本発明は、バンドと面ファスナーを用いた靴に関し、特に、脱ぎ履きの際に履き口を大きく開くことができ、しかも、締め付け具合の微調整が可能なうえ、着用時には履き口をしっかりと締めることができる靴を提供するものである。
【０００２】
バンドと面ファスナーを組み合わせた靴は、これまで種々多様なものが開発されてきている。
例えば、特許文献１に記載の靴は、バンドが２重になっていて、甲バンド（５）上に配装された調節バンド（１０）で締め付けを調整する構造である。
しかしながら、このような面ファスナーのみで締め付けを調整する構造では、着用者の足の大きさや形状に合わせた微調整が難しいという問題があった。また、舌片上を幅広な甲バンドが覆う形状ゆえ、外観デザインが優れているとは言えるものではなかった。
【０００３】
特許文献２では、２本のバンドを個々の環体に挿通させることで、容易な調節を可能とする運動靴が提案されている。
この運動靴は、つま先部側を一文字状のバンドの折り返しにより締め付け、履口部側をＬ字状のバンドで締め付ける構造であるが、これら２本のバンドが開口部を横切って配置されているので、脱ぎ履きする際に、２本のバンドをそれぞれの環体から抜かない限り当該バンドが邪魔となり、履き口を大きく開きにくい問題があった。
【先行技術文献】
【特許文献】
【０００４】
【特許文献１】実用新案登録第３１０６３２２号公報
【特許文献２】特開２００７−１５９８８１号公報
【発明の概要】
【発明が解決しようとする課題】
【０００５】
本発明は、以上のような諸点を考慮し、従来のバンドと面ファスナーを組み合わせた靴よりも、脱ぎ履きの際に履き口を大きく開くことができるうえ、締め付け具合の微調整を適切かつ容易に行うことができ、しかも、着用している間は履き口をしっかりと締めることができる靴を提供することを課題とする。
【０００６】
上記課題を解決するために、本発明者は、鋭意検討を重ねた結果、
一方の分離甲被片のつま先側に、特殊な形状を有する１本のバンドの一端のみを固定することで、脱ぎ履きの際に履き口を大きく開くことができる点に着目し、
さらに、当該バンドの他端を、前記分離甲被片の履口部側に設けたリングに通してから折り返す構成であれば、
締め付け具合の微調整が可能となり、足との密着性も高められるので、履き心地に優れ、歩行・運動に適した靴が得られることを見出し、本発明を完成するに至った。
【課題を解決するための手段】
【０００７】
すなわち、本発明の靴は、
甲被の履口部からつま先部側を左右に分離した分離甲被片を分離または連結する、概略ηの字状バンドと、該バンド及び前記分離甲被片の一部に取り付けた面ファスナーとを備えた靴であって、
前記概略ηの字状バンドは、第１ベルト部と、該第１ベルト部より長尺の第２ベルト部と、これら第１，第２ベルト部それぞれの一端においてこれら第１，第２ベルト部を一体的につなぐ接続ベルト部とからなり、
前記第１ベルト部は、前記接続ベルト部とは反対側端において、前記分離甲被片の一方に固定され、
前記第２ベルト部は、前記第１ベルト部の固定端より履口部側の分離甲被片に固定して設けられた該第２ベルト部用リングに、該第２ベルト部の先端を通して折り返されるように構成され、
前記面ファスナーは、少なくとも、前記接続ベルト部の一方の面と該面が当接する分離甲被片の表面、及び、上記折り返しにより第２ベルト部同士が接触する面の両端に、面ファスナーの接触により接合するように設けられてなることを特徴とする。
【発明の効果】
【０００８】
本発明の靴では、概略ηの字状バンドの第１ベルト部の一端のみを一方の分離甲被片に固定し、当該バンドの第２ベルト部の先端を、第１ベルト部を固定した分離甲被片の履口部側に設けたリングに通してから折り返すようにしてあるので、靴を脱ぎ履きする際には、接続ベルト部に設けられた面ファスナーの脱着により、履き口を大きく開くことができるとともに、甲全体の締め付けを調整でき、さらに微調整が必要な場合には、リングで折り返された第２ベルト部に設けられた面ファスナーの脱着により、履き口の締め付けを調整することができ、１本のバンドでも、着用者の足の大きさや形状に合わせやすく、締め付け具合の微細な調整までも容易かつ適切に行うことができる。
このような本発明の靴は、足との密着性も履き心地も極めて良好であり、歩行や運動に適した靴である。
【図面の簡単な説明】
【０００９】
【図１】本発明の靴の一実施形態の全ての面ファスナーの接合を外し、かつ第２ベルト部を該ベルト部用リングから外して展開した状態を示す説明図である。
【図２】図１に示した靴において、接続ベルト部と分離甲被片とを接合する面ファスナーを接合した状態を示す説明図である。
【図３】図２に示した靴において、第２ベルト部を該ベルト部用リングに通した状態を示す説明図である。
【図４】図３に示した靴において、第２ベルト部を折り返した状態を示す説明図である。
【図５】図４に示した靴において、接続ベルト部と分離甲被片とを接合する面ファスナーの接合を外して展開した状態を示す説明図である。
【発明を実施するための形態】
【００１０】
以下、添付の図面を参照して本発明に係る靴の実施の形態を説明する。
なお、本明細書においては、右足に着用される右側の靴について説明し、左側の靴については、説明を省略する。
【００１１】
図１は、本発明の靴の一実施形態における、全ての面ファスナーの接合を外し、かつ第２ベルト部を該ベルト部用リングから外して展開した状態を示す説明図である。
本発明の靴１０は、図１に示すように、甲被２の履口部３からつま先部側を左右に分離した分離甲被片４ａ，４ｂを分離または連結する、概略ηの字状バンド５と、この概略ηの字状バンド５と分離甲被片４ａの一部に取り付けた１対の面ファスナーＦ１，Ｆ２とを備えている。さらに、靴１０は、図２，３に示す面ファスナーＦ３，Ｆ４を、概略ηの字状バンド５の裏面に備えている。これら２対の面ファスナーは、それぞれ、Ｆ１とＦ２、Ｆ３とＦ４が、接合するように設けてあれば、どちらが雌型、雄型であるかの制限はない。
図中、符号６は、砂除けを、符号７は、後述の第２ベルト部用リングをそれぞれ示す。
このように、本発明では、概略ηの字状バンド５の第１ベルト部５１の一端５１ｅのみを一方の分離甲被片４ｂに固定した構造なので、脱ぎ履きの際に、当該バンドが邪魔にならず、履き口を大きく開くことができる。
【００１２】
図２に、図１に示した靴１０において、面ファスナーＦ１，Ｆ２を接合した状態を示す。
図１，２に示すように、概略ηの字状バンド５は、第１ベルト部５１と、第１ベルト部５１より長尺の第２ベルト部５３と、これら第１，第２ベルト部それぞれの一端においてこれら第１，第２ベルト部を一体的につなぐ接続ベルト部５２とからなる。すなわち、第１ベルト部５１、接続ベルト部５２、第２ベルト部５３は、概略ηの字状となるように繋いでバンド５を形成している。
第２ベルト部５３は、第１ベルト部５１より長尺であればよく、履き口の締め付けを調整できる程度の長さがあればよい。
【００１３】
また、前述したように、第１ベルト部５１は、接続ベルト部５２とは反対側端５１ｅにおいて、分離甲被片の一方４ｂに固定されている。
すなわち、本発明では、図１，２に示すような右側の靴１０においては、内側（親指側）の分離甲被片４ｂに固定すれば、後述の靴の着用時（図４参照）に、第２ベルト部５３の先端５３ｅが外側（小指側）に位置することになり、歩行時に左右の第２ベルト部５３，５３の先端５３ｅ，５３ｅ同士が接触することがないので、ベルトが外れることがなく、好ましい。
【００１４】
図３は、図２に示した靴１０において、第２ベルト部５３を第２ベルト部用リング７に通した状態、図４は、図３の靴１０の第２ベルト部５３を折り返した状態を示している。
このように、本発明では、第２ベルト部５３は、分離甲被片４ｂの、第１ベルト部５１の固定端５１ｅより履口部３側に近付いた部分に固定して設けられた第２ベルト部用リング７に、第２ベルト部５３の先端５３ｅを通して折り返されるように構成する。
このとき、第１ベルト部５１の固定方法は特に限定されないが、可動域の広さや、デザイン性の観点から、第１ベルト部５１の固定端５１ｅに、第２ベルト部用リング７と同一サイズの第１ベルト部用リング（非図示）を設けてもよい。また、このような第２ベルト部用リングや第１ベルト部用リングは、パーツ止め（図示はしないが、例えば、概略ηの字状バンド５と同じ素材製の部材であって、ベルト部用リングを分離甲被片４ｂに取り付けるための部材）などを用いて、分離甲被片４ｂに固定することもできる。
【００１５】
図４は、本発明の靴１０の面ファスナーを全て接合させた状態、すなわち、靴の着用時をも示している。
本発明では、面ファスナーは、少なくとも、
図１の符号Ｆ１，Ｆ２が示すように、接続ベルト部５２の一方の面と該面が当接する分離甲被片４ａの表面と、
図２，３の符号Ｆ３，Ｆ４が示すように、長尺の第２ベルト部５３の折り返しにより第２ベルト部５３の部材同士が接触する面の両端とに、
面ファスナーの接触により接合するように設けてなる。
【００１６】
面ファスナーＦ１，Ｆ２は、主に甲被の締め付けを調整することができる。
面ファスナーＦ１は、図１に示すように、分離甲被片４ａの表面に、逆コの字状（なお、図示省略の左足着用の靴では正コの字状）に設けておけば、締め付け具合の微調整がしやすいうえ、着用時には概略ηの字状のバンド５にカバーされるので美観的にも好ましい。
また、図１では、面ファスナーＦ２は、接続ベルト部５２と略同一サイズで設けられているが、第１ベルト部５１上に延長して設けることもできる。その場合、締め付けが調整できる範囲が第１ベルト部にまで及ぶため、着用者の足の大きさや形状に合わせやすく、より締め付け調整が容易となる。
【００１７】
面ファスナーＦ３，Ｆ４は、Ｆ１，Ｆ２で調整した甲被の締め付けに加え、履き口部分における締め付けの微調整をすることができる。
面ファスナーＦ３は、図２，３に示すように、接続ベルト部５２の幅よりも大きく設けておくことが締め付け具合の微調整上好ましく、面ファスナーＦ１，Ｆ２を接合した状態において分離甲被片４ａを覆う程度の大きさがより好ましい。
面ファスナーＦ４については、第２ベルト部５３の先端５３ｅ側に、上記面ファスナーＦ３と同一サイズで設ければよいが、図２，３に示すように、面ファスナーＦ３に隣接もしくは連続させて（第２ベルト部５３の全体を１対の面ファスナーＦ３，Ｆ４で覆うように）設けておくと、第２ベルト部５３の折り返し部分（第２ベルト部用リング７に当たる部分）の耐久性が向上するうえ、足の甲が高め、或いは低めの着用者であっても、緊締程度の調整により確実に対応することができる。
【００１８】
このように、本発明の靴１０は、履き口側の第２ベルト部５３を折り返しができるように長くし、しかも、この第２ベルト部５３の先端５３ｅを、第２ベルト部用リング７に通してから折り返すという特殊な形状の概略ηの字状バンド５を有する。この結果、１本のバンドであっても、前述の特許文献１のような面ファスナーのみで締め付けを調整する構造に比べて、着用者の足の大きさや形状に合わせやすく、締め付け具合の微細な調整を容易かつ適切に行うことができる。
また、着用時には、前述したような２対の面ファスナーの接合により、足との密着性に優れ、履き心地は極めて良好な、歩行や運動に適した靴を実現できる。
【００１９】
以上のような本発明の靴１０を履き脱ぎする際には、図５に示すように、１対の面ファスナーＦ１，Ｆ２を着脱するだけでよいので、非常に簡便である。このとき、もう１対の面ファスナーＦ３，Ｆ４を着脱する必要が一切ないばかりか、前述の特許文献２のようにバンドをいちいちリングから抜かずとも、履き口を大きく開くことができる。
そして、締め付け具合を調整する際には、図３に示すように、第２ベルト部用リング７と面ファスナーＦ３，Ｆ４で行うことができる。
【産業上の利用可能性】
【００２０】
本発明に係る靴は、従来のバンドと面ファスナーを組み合せた靴に比べ、脱ぎ履きの際に履き口を大きく開くことができ、しかも、個人の足に合わせた締め付け具合の微調整が可能で、着用時には靴の履き口をしっかりと締めることができる。
したがって、足に合わせて甲の高さの微調整ができ、かつ、緊締具合の微調整が容易かつ適切な靴なので、骨が柔らかく変形しやすい子ども用の靴として最適である。また、大きく履き口が開くことや、フィット性の微調整が可能なことから、高齢者用の靴としても好適である。
【符号の説明】
【００２１】
２          甲被
３          履口部
４ａ，４ｂ  分離甲被片
５          概略ηの字状バンド
５１        第１ベルト部
５１ｅ      第１ベルト部の固定端
５２        接続ベルト部
５３        第２ベルト部
５３ｅ      第２ベルト部の先端
６          砂除け
７          第２ベルト部用リング
１０        靴
Ｆ１，Ｆ２，Ｆ３，Ｆ４      面ファスナー
【図１】
0006040202.tif 000002
【図２】
0006040202.tif 000003
【図３】
0006040202.tif 000004
【図４】
0006040202.tif 000005
【図５】
0006040202.tif 000006